(57)【要約】【課題】  必要に応じて様々な形状に変形し、枕や腰枕として、更には自我按摩器具としても適用することのできるクッションを提供することを目的とする。【解決手段】  クッションは、上下面１１，１２を有するほぼ四方体１と、前記四方体１の下面１２の２対称辺近くからそれぞれ下方へ突出し、それらの間の距離が下方になるほど拡大する一対の突出体２，２とを有する全体形状をなすとともに、変形可能な材料からなり、弾性回復力を有するものである。このクッションは、柔軟性シート材により中空状に形成されており、充填されて膨らんだ状態で前記全体形状となる外套部３と、前記外套部３に内蔵されてそれを膨らませている充填物４とから構成されている。【選択図】図１
2005095472.tif 000002
【特許請求の範囲】
【請求項１】
上下面を有するほぼ四方体と、前記四方体の下面の２対称辺近くからそれぞれ下方へ突出する一対の突出体とを有する全体形状をなすとともに、変形可能な材料からなり、弾性回復力を有することを特徴とするクッション。
【請求項２】
上下面を有するほぼ四方体と、前記四方体の下面の２対称辺近くからそれぞれ下方へ突出し、それらの間の距離が下方になるほど拡大する一対の突出体とを有する全体形状をなすとともに、変形可能な材料からなり、弾性回復力を有するクッションであって、
柔軟性シート材により中空状に形成されており、充填されて膨らんだ状態で前記全体形状をなす外套部と、
前記外套部に内蔵されてそれを膨らませている充填物とから構成されていることを特徴とするクッション。
【請求項３】
前記四方体の上下面及び前記一対の突出体の互いに対面する２面のうち少なくともいずれかに複数の按摩用の突起が散在していることを特徴とする請求項２に記載のクッション。
【請求項４】
前記外套部は、２層のシートから形成されるとともに、その間に複数の仕切室があるように形成されており、前記仕切室ごとに粒状の剛性体が内蔵されて前記按摩用の突起になっていることを特徴とする請求項３に記載のクッション。
【請求項５】
前記四方体は長方体であり、前記一対の突出体はそれぞれ前記長方体の下面の２短辺近くからその幅がこれら短辺と同等的となるように突出してなり、また、該幅は人の胸幅より小であることを特徴とする請求項２〜４のいずれか１項に記載のクッション。
【請求項６】
前記外套部は、前記柔軟性シート材として複数のクロスが使用されて縫い合わせられてなり、且つ、少なくとも２箇所の縫い目から環状の紐ループがそれぞれ突出していることを特徴とする請求項２〜４のいずれか１項に記載のクッション。
【請求項７】
前記環状の紐ループを少なくとも２つ利用して固定手段が設けられていることを特徴とする請求項６に記載のクッション。
【請求項８】
前記固定手段として環状の伸縮性ベルトが使用されていることを特徴とする請求項７に記載のクッション。
【請求項９】
前記固定手段として一対のマジックテープ付きベルトが使用されていることを特徴とする請求項７に記載のクッション。
【発明の詳細な説明】
【技術分野】
【０００１】
本発明は、クッションに関し、特に身体の異なる部位を支持することができ、例えば枕として使用したり、腰枕として使用したりすることのできるクッションに関する。
【背景技術】
【０００２】
一般には、横になることや腰を掛けることを快適にさせるために、頭、首、腰などをクッションを介してベッドや椅子などに凭れさせる。
【０００３】
【特許文献１】特開２００１−１８６９７３号公報
【発明の開示】
【発明が解決しようとする課題】
【０００４】
しかしながら、従来のクッションは、通常ほぼ四方体、多くは長方体をなすように構成されているだけであるので、使用者の体具合に応じて変形することができず、逆に肩凝りや腰痛などをもたらす事例が多々ある。
【０００５】
また、例えば特許文献１などにもあるように、前記のような従来のクッションにおいて、突起などが付設されておりマッサージ効果を果たすとされるものがあるとは言え、上述したような使用者の体具合に応じて変形できない性質に制限されてしまい、マッサージ効果をよく生かすことができない。
【０００６】
本発明は、前記の点に鑑みてなされたものであり、必要に応じて様々な形状に変形し、枕や腰枕として、更には自我按摩器具としても適用することのできるクッションを提供することを目的とする。
【課題を解決するための手段】
【０００７】
本発明のクッションは、上下面を有するほぼ四方体と、前記四方体の下面の２対称辺近くからそれぞれ下方へ突出する一対の突出体とからなる全体形状を有するとともに、変形可能な材料からなり、弾性回復力を有する点に特徴を有する。より詳しくは、上下面を有するほぼ四方体と、前記四方体の下面の２対称辺近くからそれぞれ下方へ突出し、それらの間の距離が下方になるほど拡大する一対の突出体とからなる全体形状を有するとともに、変形可能な材料からなり、弾性回復力を有するクッションであって、柔軟性シート材により中空状に形成されており、充填されて膨らんだ状態で前記全体形状をなす外套部と、前記外套部に内蔵されてそれを膨らませている充填物とから構成されている点に特徴を有する。
【発明の効果】
【０００８】
本発明によるクッションによれば、その全体形状が四方体だけでなく、一対の突出体を有するので、安置方向や姿勢を変更させること及び一対の突出体を折り曲げることなどにより様々な形状に調整できるので、使用者の体具合に応じて各種姿勢で頭、首、腰ないし足に対して適切に使用することができる。
【発明を実施するための最良の形態】
【０００９】
以下、本発明のクッションの好ましい実施形態について詳しく説明する。なお、以下の説明においては、そのサイズに拘わらず、同一の機能及び構成を有する構成要素については、同一符号を付し、重複説明は必要な場合にのみ行う。
【００１０】
まず、図１、図２を参照しながら本発明を適用したクッションを説明すると、上下面１１，１２を有するほぼ四方体１と、前記四方体１の下面１２の２対称辺近くからそれぞれ下方に突出し、それらの間の距離が下方になるほど拡大する一対の突出体２，２とを有する全体形状をなすとともに、変形可能な材料からなるものである。
【００１１】
図１に示すクッションは、図２に示すように、柔軟性シート材により薄層中空状に形成されており、充填されて膨らんだ状態で図１に示した全体形状となる外套部３と、該外套部３に内蔵されてそれを膨らませている、棉や布、発泡体などの弾性があって変形可能な充填物４とからなっている。
【００１２】
かかる構成から分かるように、前記棉や布、発泡体などの弾性があって変形可能な充填物４が前記外套部３内に内蔵・充填されてほぼＵ字形になっているので、弾性回復力がそれ自体のある程度のみならず、該Ｕ字形の形状によっても更に付与されている。
【００１３】
次に、図面をより詳しくみると、前記外套部３の更なる構成により、前記四方体１の上下面１１，１２及び前記一対の突出体２，２の互いに対面する内面２１，２１に複数の按摩用の突起３２が散在している。
【００１４】
即ち、前記外套部３が２層のシートから形成されるとともに、前記四方体１の上下面１１，１２及び前記一対の突出体２，２の互いに対面する内面２１，２１に対応する箇所において、その２層のシートの間に複数の仕切室３２があるように形成されており、これら仕切室３２ごとに粒状の剛性体が内蔵されて前記突起３１になっている。
【００１５】
前述したように、充填物４としては、棉や布、発泡体などの分散体が使用されるが、これらに限らずシリカゲル、ラテックスなども使用可能であり、また、分散体でなく、一体成型になったブロック体も使用可能である。この場合、図３に示すように、外套部が使用されなくとも差し支えがない。
【００１６】
また、図示例では、前記四方体１は実際的には長方体であり、前記一対の突出体２，２はそれぞれ該長方体の下面の２短辺近くからその幅がこれらの短辺と同等的となるように突出してなり、また、該幅は通常の人の胸幅より小であるものである。
【００１７】
なお、前記外套部３は、前記柔軟性シート材として複数のクロスが使用されて縫い合わせられてなり、且つ、前記上面１１の２対称辺及び前記突出体２の端縁にある縫い目からそれぞれ環状の紐ループ３３が突出しているものである。これら環状の紐ループ３３は、少なくとも２つが利用されて固定手段５が設けられ、クッションを椅子などに固定するものである（図１１、図１２を参照）。前記固定手段５としては、環状の伸縮性ベルトや一対のマジックテープ付きベルトが使用される。
【００１８】
以下、図４〜図１４を参照しながら本発明を適用したクッションの利用方式を説明する。図４では、クッションを突出体２が下を向くようにベッド又は地面などの安置面６に置いた状態を示す。この場合、使用者が横になって頭部が四方体１に凭れると、該四方体１が下へ窪んで弧面になり、頭部をよく支えることができる。
【００１９】
図５に示すのは、図４に示す利用方式に類似するが、一対の突出体２，２を内へ折り曲げて四方体１を高く上げる方式である。
【００２０】
図６に示すのは、クッションの安置姿勢を逆転して四方体１を安置面６に置き、頭部が四方体１の下面１２（図示の状態では上を向いている面になる）に凭れる方式である。この方式では、一対の突出体２，２が上を向くので、頭部の移動を制限し、首の寝違えを予防することができる。
【００２１】
図７に示すのは、図４に示す利用方式に類似するが、片側の突出体２のある側面から凭れる方式である。この場合、図示のように、首が四方体１と該当の突出体２との間の接続部に、頭部が四方体１上に、うなじ及び上背が該当の突出体２の外側面に凭れ、首が浮かんで肩凝りをもたらすといった可能性を避けることができる。
【００２２】
図８、図９に示すのは、クッションにおける一対の突出体２，２のうち一つを四方体１とほぼ傾斜直線になるように外へ引いて、クッション全体が"への字"を呈するように安置面６に置く方式である。このように使用する場合、使用者の背中が傾斜面に、首が四方体１と前記該当の突出体２と相対している他の一つの突出体２との間の接続部に凭れ、頭部が該他の一つの突出体２に垂れ寄せる。前記四方体１及び突出体２の幅は通常の人の胸幅より小であるため、該クッションに凭れているとき、肩が下へぶら下がって胸を伸ばすことができる。
【００２３】
図１０に示すのは、図８に示す利用方式と同様であるが、使用者が体を横にして安置面６に肘を突いて腋下を前記接続部に掛けている姿勢をとる方式である。これにより、身体の一側をよく支えることができる。
【００２４】
図１１に示すのは、図７に示す利用方式と類似するが、他の突出体２を内へ折り曲げて使用者の頭部及び首を高く支える方式である。
【００２５】
図１２、図１３に示すのは、固定手段５を利用してクッションを椅子の背凭れ板７に固定する方式である。使用者が必要に応じて固定手段５でこのクッションを異なる安置方向で背凭れ板７の適当な位置に固定して、背中又は腰を支持することができる。
【００２６】
図１４に示すのは、クッションをプロテクタとして使用する方式である。図示のように、このクッションの四方体１の下面１２と一対の突出体２，２とで、怪我をした頭部と首とを保持し、２つの固定手段５，５を額及び顎に跨らせることにより、頭部を固定することができる。
【産業上の利用可能性】
【００２７】
前記実施形態から分かるように、本発明のクッションは、使用者の具合に応じて様々な形状に調整できるだけでなく、突起によって身体を按摩できる上、医療プロテクタとして機能させることもできる。
【００２８】
以上説明した実施形態は、あくまでも本発明の技術的内容を明らかにする意図のものにおいてなされたものであり、本発明はそうした具体例に限定して狭義に解釈されるものではなく、本発明の精神と特許請求項の範囲に述べられた範囲で変更して実施できるものである。
【図面の簡単な説明】
【００２９】
【図１】本発明を適用したクッションの斜視図である。
【図２】本発明を適用したクッションの断面図である。
【図３】本発明を適用した他のクッションの斜視図である。
【図４】クッションを利用して身体の異なる部位を支持する状態を説明するための図である。
【図５】クッションを利用して身体の異なる部位を支持する状態を説明するための図である。
【図６】クッションを利用して身体の異なる部位を支持する状態を説明するための図である。
【図７】クッションを利用して身体の異なる部位を支持する状態を説明するための図である。
【図８】クッションを利用して身体の異なる部位を支持する状態を説明するための図である。
【図９】クッションを利用して身体の異なる部位を支持する状態を説明するための図である。
【図１０】クッションを利用して身体の異なる部位を支持する状態を説明するための図である。
【図１１】クッションを利用して身体の異なる部位を支持する状態を説明するための図である。
【図１２】クッションを利用して身体の異なる部位を支持する状態を説明するための図である。
【図１３】クッションを利用して身体の異なる部位を支持する状態を説明するための図である。
【図１４】クッションを利用して身体の異なる部位を支持する状態を説明するための図である。
【符号の説明】
【００３０】
１      四方体
１１    上面
１２    下面
２      突出体
２１    内面
３      外套部
３１    突起
３２    仕切室
３３    紐ループ
４      充填物
５      固定手段
６      安置面
７      椅子の背凭れ板
【図１】
2005095472.tif 000003
【図２】
2005095472.tif 000004
【図３】
2005095472.tif 000005
【図４】
2005095472.tif 000006
【図５】
2005095472.tif 000007
【図６】
2005095472.tif 000008
【図７】
2005095472.tif 000009
【図８】
2005095472.tif 000010
【図９】
2005095472.tif 000011
【図１０】
2005095472.tif 000012
【図１１】
2005095472.tif 000013
【図１２】
2005095472.tif 000014
【図１３】
2005095472.tif 000015
【図１４】
2005095472.tif 000016